(57)【要約】本発明は、小売商人により使用されるキャッシュレジスタのレシートペーパーロールのようなペーパーロールが無断で取り去られるのを防止する方法及びシステムを提供し、この方法は、検出可能な信号を放射する電子センサ（３）をペーパーロールに固定し、そしてセンサが小売商人の位置の検出ポイント又はその付近を通過するときにセンサの存在を検出することを含む。本発明の１つの実施形態では、センサが、ペーパーロールのコア（１）に固定された接着ストリップ（４）であり、ペーパーロールのコアには、平坦面（２）が一体的に形成され、そこにセンサが固定される。
2004516559.tif 000002
【特許請求の範囲】
【請求項１】
小売商人からペーパーロールが無断で取り去られるのを防止するための方法において、
検出可能な信号を発生する電子センサをペーパーロールに固定し、そして
上記センサが小売商人の位置の検出ゾーン又はその付近を通過するときにセンサからの信号を検出して、ペーパーロールが無断で取り去られるのを防止する、という段階を備えた方法。
【請求項２】
上記ペーパーロールはコアを含み、そして上記方法は、更に、上記センサをコアに取り付けることを含む請求項１に記載の方法。
【請求項３】
上記コアの外面には、長手方向に平坦な面が一体的に形成されており、そして上記方法は、更に、上記センサを上記コアの平坦面に固定することを含む請求項２に記載の方法。
【請求項４】
電子センサが固定されたペーパーロールより成る盗難防止ペーパーロール。
【請求項５】
上記ペーパーロールはコアを含み、上記センサはこのコアに固定される請求項４に記載の盗難防止ペーパーロール。
【請求項６】
上記ペーパーロールのコアは、中空円筒であって内面と外面を含み、それらの面間にコア壁があり、そして上記外面には、更に、長手方向の平坦面が一体的に形成され、その上にセンサが長手方向に固定される請求項５に記載の盗難防止ペーパーロール。
【請求項７】
上記コアの外面とセンサとの間に接着剤の層を含む請求項６に記載の盗難防止ペーパーロール。
【請求項８】
上記センサは、上面と下面を含み、そして上記接着剤層は、センサの下面と一体的である請求項７に記載の盗難防止ペーパーロール。
【請求項９】
内面及び外面を有する中空円筒より成り、それらの面間にはコア壁があり、そして上記外面には、更に、長手方向の平坦面が一体的に形成されたペーパーロールコア。
【請求項１０】
盗難防止ペーパーロールを作成する方法において、
ペーパーを巻いてペーパーロールとするところのコアを形成し、このコアは、中空円筒であって、円の内径を有する内面と、円の外径を有する外面とを含み、それらの面間にはコア壁があり、そして上記外面には、更に、長手方向の平坦面が一体的に形成され、
電子センサを選択し、このセンサは検出可能な信号を発生し、そして上面及び下面を含み、更に、このセンサの寸法は、上記コアの平坦面の対応寸法を越えるものではなく、
上記センサの下面を上記コアの外面の平坦部に固定し、ここで、センサがコアに固定されたときに、センサの上面の位置が、コアの外面の円外径寸法を越えるものではなく、
ペーパー巻き付けマシンの内実装填ロッドを選択し、このロッドは、その外径が上記コアの内径より小さく、そして上記中空コアは、コアの中空領域を通して装填ロッドに装填されて、ペーパー巻き付けマシンがアクチベートされたときにコアにペーパーを巻き付けることができるようにし、そして
センサが取り付けられたコアにペーパーを巻き付ける、
という段階を備えた方法。
【請求項１１】
装填ロッドの外径とコアの内径との間の差は、少なくとも１／１６インチである請求項１０に記載の方法。
【請求項１２】
上記センサの下面は、更に、接着剤層を含む請求項１０に記載の方法。
【請求項１３】
上記センサの下面とコアの外面の平坦部との間に接着剤層を付着する段階を更に含む請求項１０に記載の方法。
【請求項１４】
ペーパーロールを盗難から保護するための電子式物品監視システムにおいて、
選択された周波数でセンサから電子信号を発生するための手段を備え、このセンサはペーパーロールに固定され、そして
上記センサが検出ゾーンの付近にあるときに上記センサにより発生された信号を検出するための手段を更に備えたシステム。
【請求項１５】
上記ペーパーロールはコアを含み、そして上記センサは、このコアに固定される請求項１４に記載のシステム。
【請求項１６】
上記コアの外面には、平坦面が一体的に形成され、そして更に、上記センサは、コアの平坦面に固定される請求項１５に記載のシステム。
【請求項１７】
上記信号は、アラームを作動する請求項１４に記載のシステム。
【請求項１８】
上記アラームは、少なくとも１つの可聴インジケータ、可視インジケータ、リモートインジケータを有するサイレントアラーム、又は物理的ブロック手段のアクチベーション、及びその組み合わせである請求項１７に記載のシステム。
【請求項１９】
上記アラームは、リモート位置で確認される請求項１７に記載のシステム。
【請求項２０】
上記アラームは、検出ゾーン付近で確認される請求項１７に記載のシステム。
【発明の詳細な説明】
【０００１】
【関連出願】
本出願は、２０００年１２月１５日に出願された米国プロビジョナル特許出願第６０／２５５，８６３号の優先権を請求するものである。
【技術分野】
本発明は、特に、キャッシュレジスタから売上レシート（領収書）を発行するのに使用されるもののような１つ以上のペーパーロールの盗難や悪用を防止する方法に係る。
【０００２】
【背景技術】
小売商人は、売上を示すレシートが発行された場合には、たとえそのレシートが不正なものであり且つ商品が盗まれたものである場合でも、個人に現金又はクレジットを戻さねばならない。従って、実際には行われていないが売上が発生したことを不正に請求する第三者によりキャッシュレジスタのレシートに使用されるペーパーロールが盗難にあったり又は悪用されたりするのを防止するために、相当の長さがとられている。従って、見えないインクや、サーマルインクや、スクラッチオフインクや、２色の数字及び文字を発生するための多色及び分割リボン（例えば、米国特許第４，９５７，３１２号）を使用したり、紫外線（ＵＶ）のもとでのみ見える成分をリボンに追加したり（例えば、米国特許第３，５９９，２２９号）してペーパー自体をマーキングすることにより、多数の良く知られたプロセスや方法が小売店レジスタのレシートを保護することに向けられている。
【０００３】
レジスタ用のロールにフォトルミネセント（ＵＶ応答）インクで固定情報をプリントした後に、不正の販売スリップでカバーされた商品の返品を見分ける試みとしてレジスタにおいて小売店によりＵＶ応答インクで可変情報を追加するといった複雑な手順が試みられている。しかしながら、これらの方法は、いずれも、レシートとしてレジスタで使用されるべき予めプリントされたペーパーロールが使用の前に盗まれ、その窃盗者が、「返品」のためにその盗んだ商品に合致するように自分自身のレジスタ用レシートをプリントすることができる場合には、小売店における不正を効果的に防止することができない。同様に、これらの方法は、窃盗者が、レシートを不正に作成し、そして商品をもって店を出るときにレシートを示すことを求められたときにその不正に作成されたレシートを見せることを防止するものではない。従って、ペーパーロール自体の盗難を防止するための盗難防止メカニズムの必要性が存在し、本発明は、これを満足する。
【０００４】
小売店舗及び／又は他の施設、例えば、図書館から物品や商品が無断で取り去られるのを検出しそして防止するための電子式物品監視（ＥＡＳ）セキュリティシステムが良く知られそして広範囲に使用されている。一般に、このようなセキュリティシステムは、ラベル又はセキュリティタグを使用し、これは、保護されるべき物品又は品目或いはそのパッケージに付着され、組み合わされ或いは他のやり方で固定される。セキュリティタグは、使用するセキュリティシステムの特定形式、物品の形式及びサイズ、等に基づいて、多数の異なるサイズ、形状及び形態をとり得る。一般に、このようなセキュリティシステムは、セキュリティタグが取り付けられた物品がセキュリティ又は監視ゾーンを通過するか、或いはセキュリティチェックポイント、質問ゾーン又は監視ステーションの付近を通過するときにセキュリティタグの存在を検出する。
【０００５】
ある公知のセキュリティタグは、主として、高周波（ＲＦ）電磁界の擾乱感知電子セキュリティシステムと共に機能する。このような電子式セキュリティシステムは、一般に、制御されたエリアに電磁界を確立し、物品を制御された施設から運び出すときには物品をこの電磁界に通さねばならない。共振回路を有するタグが各物品に取り付けられ、制御されたエリアにおける共振回路の存在は、システムの受信部によって感知され、物品が無断で運び去られるのを示すためにアラームが作動される。この形式のマーカーは、商品に対する支払をするときに勘定台において意図的に除去される。他の形式のマーカーは、勘定の際に不作動にされる。例えば、共振回路は、許可（即ち、購入又は勘定済み）の後に施設から運び出す前に、許可を受けた者により不作動、離調、シールド又は除去することができる。概して、このようなメカニズムは、首尾良く働くが、バックグランドノイズや信頼性といった細部は、その使用において負のファクタとなる。
【０００６】
質問ゾーンに存在する電磁界に応答してマーカーによって再放射される信号を検出することによりマーカーの存在を識別するのが一般的である。１つの形式のＥＡＳシステムは、ハーモニックシステムと称される。というのは、選択された周波数の磁界を通過する磁性材料がその磁界を乱し、選択された周波数の高調波混乱を生じさせるという原理に基づくからである。このようなシステムは、小売店舗のセキュリティを与えるために長年にわたって使用されており、ＥＡＳタグは店内の個々の在庫品に取り付けられる。この検出システムは、ある高調波周波数を確認するように同調され、そしてそれがもし存在すれば、アラームを作動する。
【０００７】
これらのマーカーは、価格ラベルと一体化することができ、そして価格ラベルは、商品に接着剤で付着されるか、物品のパッケージ又は物品自体に埋め込まれ又は組み込まれる（例えば、米国特許第４，０６３，２２９号）。他の形式のハーモニックＥＡＳシステムは、交流質問信号に応答する磁性材の薄いストリップ又はワイヤを含むマーカーをベースとしている（例えば、米国特許第４，６６０，０２５号及び第４，９８０，６７０号）。このようなアラームは、店の確認者によって不作動にされねばならない可聴アラーム及びフラッシュライトを備えている。米国特許第４，４１３，２５４号は、従来のＥＡＳシステムの基礎となる技術の良好な要約を与える。
【０００８】
別の形式のＥＡＳシステムは、磁気歪素子を含む磁気機械マーカーを使用する（例えば、米国特許第４，５１０，４８９号）。この磁気機械システムに使用されるマーカーは、通常、バイアス磁気素子の付近で細長いハウジングに収容されたリボン形状長さの磁気歪アモルファス材料で形成される。磁気歪素子は、バイアス素子があるレベルに磁化されたときに所定の周波数又はバーストで共振するように形成される。その結果、マーカーにより放射される信号が検出回路で検出される。
【０００９】
小売店及びショッピングモールが大きくなるにつれて、ハーモニック及び磁気機械ＥＡＳシステムの両方が同じ施設に使用される確率が高くなる。例えば、店の一部門は、磁気機械ＥＡＳシステムを使用し、一方、別の部門は、ハーモニックＥＡＳシステムを使用する。共通の勘定台が両部門によって共有され、勘定台施設が両形式のマーカーを確認しそして管理する必要があり、従って、小売店又は製造者は、勘定台又はセキュリティステーションに付加的な走査装置を必要とせずに各形式のマーカーを使用することができる。
【００１０】
小売店舗の運営効率を改善するために、磁気機械的マーカーを含むＥＡＳマーカーを、小売店舗へ運搬する前に商品品目に貼付することが提案されている（例えば、米国特許第４，５１０，４８９号）。例えば、マーカーを、製造者により運搬の前に商品に取り付けることが提案されている。このやり方は、「供給側タグ付け」と称され、これは、ＥＡＳマーカー即ち「タグ」が商品の供給側で商品に貼付されることを意味する。最終的に小売店舗において電子式物品監視を受ける商品の「供給側タグ付け」技術は、例えば、強磁性ストリップが図書館の本に埋め込まれることを開示した米国特許第３，６６５，４４９号、強磁性ストリップがプラスチック、ペーパー、木、アルミニウム、ステンレススチール等に埋め込まれることを開示した米国特許第４，１５１，４０５号、マーカー素子がサーモプラスチックホルダーに埋め込まれそしてこのホルダーが外皮内に溶融されることを開示した米国特許第４，６２６，３１１号、衣類のシーム又はライナー内にタグを隠すことを開示した米国特許第４，６８６，１５４号、及び磁気歪ワイヤがペーパーに埋め込まれたことを開示した米国特許第４，８３５，０２８号を含む。しかしながら、これらの特許は、そこに説明されたように磁気素子が埋め込まれたときに生じる磁気特性の劣化及びストレスを考慮に入れていない。従って、そのような欠点を克服しそして性能を改善するための多数の付加的な方法が開示されている（例えば、米国特許第５，４９９，０１５号）。
【００１１】
しかし、従来のＥＡＳシステムは、フールプルーフではなく、種々の理由で、検出ミスや偽警報を受ける。これらの異常事象は、タグ付けされた製品の性質、及び特定設置場所の電磁環境に依存する。従って、公知センサは、あらゆる環境において有効であると仮定することができない。盗難の検出ミスは、店の利益収益に直接的に影響を及ぼし、盗みの誘惑を高めることになる。偽警報は、支払している顧客に無用な混乱を招きそしてシステムにおける店の従業員の信頼を損なうことになる。実際に、検出システムに信頼性がない場合には、従業員自体が、キャッシュレジスタの未使用ペーパーロールを悪用し、彼らの雇い主又は商品の販売に同じレシートを使用する他の雇い主に対して不正を働こうとする誘惑にかられる。
【００１２】
本発明以前には、キャッシュレジスタの未使用レシートペーパーロール、特に、小売店を指示するために特殊なインクやラベルでマークされたペーパーロールの盗難に対して保護を与えるための要望が満足されないままとなっている。しかしながら、本発明は、センサや検出装置や記録装置に効率的に適応できる盗難防止装置によって確実に保護されたキャッシュレジスタレシート用ペーパーロールを初めて提供することによりこの要望を満足する。
【００１３】
【発明の開示】
本発明は、小売商人からペーパーロールを無断で取り去るのを防止するための方法及びシステムを提供する。又、本発明は、キャッシュレジスタのレシート用の保護されたペーパーロールも提供する。本発明は、種々のペーパーロールサイズ、種々のコアサイズ及び種々のセンサと共に使用することができる。
本発明の好ましい実施形態では、検出可能な信号を放射する電子センサをペーパーロールに固定し、そして上記センサが小売商人の位置の検出ポイント又はその付近を通過するときにセンサの存在を検出するという段階を含む方法が提供される。好ましい実施形態では、センサは、ペーパーロールのコアに固定され、センサは接着剤ストリップである。ペーパーロールのコアには、平坦面が一体的に形成され、その上にセンサが固定される。
【００１４】
本発明の別の好ましい実施形態では、ペーパーロールの在庫を盗難から保護するための電子式監視システムが提供される。このシステムは、検出ゾーンにおいて選択された周波数でセンサから電子信号を発生するための手段と、ペーパーロールであって、電子式監視システムにより検出できる信号を発生する電子センサが固定されるペーパーロールと、電子センサにより発生された信号を検出するための検出手段とを備えている。
本発明の別の好ましい実施形態では、盗難から保護されるべき商品である物品が提供される。この物品は、ペーパーロールより成り、これは、更に、電子センサを備え、このセンサは、ペーパーロールのコアに固定される。このような物品では、センサが接着剤ストリップであり、そしてペーパーロールのコアには、更に、平坦面が一体的に形成され、その上にセンサが固定される。
【００１５】
それ故、本発明の目的は、ペーパーをロールに装填するプロセスに不利な影響を及ぼさず、又、ペーパーロールがその意図された目的にもはや適さなくなるようにペーパーロールを変形することもなく、小売商人からペーパーロールを無断で取り去るのを効果的に防止又は禁止するペーパーロール盗難防止保護システムを提供することである。
更に、本発明の目的は、上記の盗難防止保護システムに使用するためのペーパーロールを提供することである。この構成に含まれるのは、（１）盗難防止センサの追加を許すように構成された変更型ペーパーロール、（２）このように構成されて、盗難防止センサが固定された変更型ペーパーロール、及び（３）このように構成されて、固定の盗難防止センサが作動されそして動作する変更型ペーパーロールであるが、これに限定されるものではない。又、本発明の目的は、そこに使用する盗難防止センサを提供することである。
【００１６】
本発明の更に別の目的は、上記盗難防止保護システムに使用される種々のペーパーロールを作成する方法を提供することである。
又、本発明の目的は、上記盗難防止保護システムを使用して、上記ペーパーロール、特に、キャッシュレジスタのレシートを発行するのに使用されるペーパーロールの盗難を防止又は思い止まらせる方法を提供することである。
本発明の付加的な目的、効果及び新規な特徴は、その一部分が以下の説明及び図面から明らかであり、その一部分が以下の説明を検討することにより当業者に明らかであり、或いは本発明の実施によって学習されよう。
【００１７】
【発明を実施するための最良の形態】
本発明の以上の要約、及び以下の詳細な説明は、添付図面に関連して読んだときに良く理解されよう。本発明を説明する目的で、現在好ましいと思われる幾つかの実施形態を添付図面に示す。しかし、本発明は、図示された正確な構成及び具現化に限定されるものではないことを理解されたい。
添付図面を参照して、本発明の好ましい実施形態を詳細に説明する。添付図面及びそれを参照した説明は、一例に過ぎず、本発明の範囲を何ら限定するものではない。
【００１８】
ここに説明する本発明は、１つ以上のペーパーロール、特に、キャッシュレジスタから売上レシートを発行するのに使用されるペーパーロールの盗難又は悪用を防止又は思い止まらせる方法及びシステムに係る。更に提供されるのは、本発明の種々の盗難防止ペーパーロールである。ここで使用する「盗難防止」とは、ある位置から無断で取り去るのを防止し、思い止まらせ、禁止し、又は邪魔することを意味する。しかしながら、この説明は、単に例示を意図したもので、本発明の範囲を何ら限定するものではない。例えば、本発明は、小売店により使用されるサーマルインクペーパーのキャッシュレジスタ用レシートロールに関して説明するが、本発明は、種々様々なペーパーロール形式、サイズ及びアプリケーションにも適用できる。
【００１９】
本発明の好ましい実施形態では、電子センサ装置３が、製造者により供給側タグとして、又はペーパーロールの流通業者により適当にペーパーロールに取り付けられる。又、センサ３は、ロールのコア１に取り付けることもでき、これは、取り付けられたセンサ３が意図されたように動作する限り、接着剤により取り付けられてもよいし、コアに予め形成されたくぼみに埋め込まれてもよいし、又は製造中にコアに直接形成されてもよい。（図１Ａ及び１Ｂを参照）
【００２０】
動作中に、ペーパーロール盗難防止システムは、ペーパーロールに固定された作動された電子センサ３を含む。固定されたセンサ３は、関連検出装置により検出できる信号を発生する。センサ３が小売店により確立された検出ゾーン又はその付近を通過するときにセンサ３の存在又は接近性が検出されると、アラームが作動される。従って、アラームを聞くか又は見たときに、店主又はそれに代わって働く個人は、センサ３を含む少なくとも１つの盗難防止ペーパーロールが許可なく店から運び去られつつあることに気付き、ペーパーロールの所有者は、窃盗犯を捕えそして盗難防止ペーパーロールの損失を防ぐことができる。
【００２１】
店主又はそれに代わって働く個人（１人又はそれ以上）は、ここでは「小売商人」と称する。しかしながら、「小売商人」という語をここで使用するときには、ペーパーロールを使用する任意のエンティティ、特に、商業的エンティティ、小売店又は卸売り店、例えば、販売店、アウトレット店、倉庫、売主等を含むように広く意図される。更に、この用語をここで使用するときには、本発明のペーパーロール盗難防止システムの確立を保証するに充分なほど頻繁にこのようなペーパーロールを使用する非営利エンティティ及び他のエンティティも含むことが意図される。
【００２２】
本発明のペーパーロールは、特に、このような小売商人によって使用されて、商品の販売のためにキャッシュレジスタによりプリントされるレシートを発行する。しかしながら、このようなロールは、プリンター、複写機及びファクシミリ装置や、現在知られている又はその分野で知られるようになった他の装置にペーパーを供給するのにも使用される。更に、使用後、コア１は、その使用済みコア１に新たなペーパーを再び巻き付けることによりリサイクルすることができる。
【００２３】
電子センサ３の１つ以上の「検出器」が、小売店舗に確立された「検出ゾーン」において使用される。「検出ゾーン」は、変化する既知の周波数の電磁界により定義される。センサ３は、電磁界即ち検出ゾーン又はその付近にセンサ３を通すと、磁界の周波数帯域内の周波数でセンサ３を共振させるように構成される。受信アンテナ及び他の電子回路のような「検出器」は、センサ３の存在を検出し、そしてアラーム又は他の適当なアクションをトリガーする。従って、センサ３は、検出ゾーン内の任意のポイントから検出される。米国特許第４，５１０，４８９号は、電子式監視システム（ＥＡＳ）の一例を開示している。
【００２４】
検出ゾーンは、小売店舗の入口又は出口の各ポイントに形成される。一般に、入口又は出口のこのようなポイントは、個人又は商品の入口又は出口をブロックするために実際のドアが存在するかどうかに関わらず、ここでは「ドア」と称される。
ペーパーロール盗難防止システムのアラームは、ドア／検出ゾーンを通してペーパーロールが運び去られることを小売商人に警告する。作動されたセンサ３の接近によってアクチベート又はトリガーされると、回路が完成して、アラームが警報音装置から信号を発生させる。アラームは、物理的に検出器内にあるか又はそこから取り外されてもよいが、布線接続又はワイヤレス接続により電気的又は遠隔接続される。
【００２５】
アラームは、ビープ音又はブザー音のような可聴的なものであってもよいし、１つ以上のフラッシュライトのように可視的なものであってもよいし、リモートインジケータ（可聴、可視又は振動）を有するサイレントアラームであってもよいし、或いはアラームが、ゲート又は他の脱出ブロック手段の作動を信号してもよい。アラーム信号は、連続的であっても断続的であってもよく、信号又は音声を停止するまで所定時間にわたって持続してもよく、或いは許可された者によりターンオフ又はデアクチベートされるまで不定に継続してもよい。更に、アラーム信号は、指定のリモート位置にいる指定のオペレータによってのみ検出されてもよいし、検出ゾーン内でのみそしてその近くにいる者に対して可聴又は可視であってもよいし、或いは小売店舗全体にわたって聞こえたり見えたりしてもよい。更に、アラームは、その目的に意図された確認装置、例えば、電話のリング音を増幅するのに使用される形式の装置によって増強又は減少されてもよい。
【００２６】
アラームは、小売店のドアを経て盗難防止ペーパーロール又は盗難防止ペーパーロールコア１を許可を受けて転送する間、例えば、その納入中、又は使用済みコア１をゴミとして運び出す間、或いはリサイクル中に、小売商人によって単に無視されてもよいし、或いはこのような許可を受けた搬送中にアラームが音や信号を発するのを防止するために検出システムがデアクチベートされる。その結果、システムにおける未使用のレシートペーパーロールの無断運び出しは、検出器がアクチベートされそしてセンサ３の信号に応答するようにプログラムされる限り、昼夜を問わず検出することができる。従って、小売商人は、従業員を含む誰かが、１つ以上の未使用の又は部分的に使用された盗難防止ペーパーロールを小売店から無断で運び出そう（借りる又は盗む）と試みる場合に、直ちにそれに気付く。しかしながら、言うまでもなく、システムがターンオン（アクチベート）されていない場合、又はセンサ３の信号に応答して不適切にプログラムされている場合、或いはいずれか１つのドアが検出ゾーンにより保護されない状態のままである場合には、ペーパーロールの盗難を効果的に防止するというシステムの目的が危機に陥る。
【００２７】
ペーパーロールのコア１は、クラッシュに耐える円筒であり、その上にペーパーが巻き付けられて、ペーパーロールとなる。好ましい実施形態では、ここに例示するように、コア円筒は、内面と外面を有し、それらの間にはコア壁があり、このコア壁は、センサ３が固定されるポイント以外は、所定のそして均一の厚みを有し、センサ３が固定されるポイントは、円筒コアの他部分とは厚みが異なる。コア１の内面は、円筒の各端から見たときに、内径（ＩＤ）を有する円に内接する（図１Ａ）。コア１の外面は、センサ３の配置を受け入れるように変更された円筒の各端から見たときに外径（ＯＤ）を有する円を描く。円筒の端は、開いている。
【００２８】
ペーパーは、コア１の外部に巻き付けられる。コア１の外部は、ペーパーロールの各用途に必要とされる量のペーパーを受け入れるサイズとされる。コア１の内部は、意図されたマシン、例えばキャッシュレジスタにペーパーロールが設置されるときに、取り付けロッドを受け入れる。
コア１の長さは、１ないし５０インチであり、好ましくは、１ないし３０インチであり、より好ましくは、２ないし１２インチであり、そして更に好ましくは、２ないし６インチである。最も好ましくは、コア１の長さは、２−１／４、２−３／４、３及び３−１／４インチである。この実施形態に例示するように、標準的な電子キャッシュレジスタに使用するよう意図されたペーパーロールは、長さが３−１／８インチである。
【００２９】
コア１の内径（ＩＤ）は、１／１６ないし３インチであり、好ましくは、１／８ないし２インチであり、更に好ましくは、１／４ないし１インチであり、尚更に好ましくは、１／２ないし３／４インチであり、そして最も好ましくは、１／４ないし３／４インチである。最も好ましくは、内径は、１１／１６、７／８及び５／８インチである。ここに例示する実施形態において、最も好ましいＩＤは、７／１６インチである。このＩＤは、標準的な電子キャッシュレジスタにペーパーロールを設置するのに特に有用である。
コア１の外径（ＯＤ）は、１／２ないし２インチであり、好ましくは、１／２ないし１−１／２インチであり、そして更に好ましくは、３／４ないし１インチである。最も好ましいＯＤは、この実施形態に示すように、１３／１６インチである。ここにインチで示す全てのサイズ測定値（長さ、ＩＤ、ＯＤ等）は、メートル系の等価値に換算されてもよい。
【００３０】
好ましい実施形態では、コア１は、図１Ａ及び１Ｂに示すように、ポリスチレンにより耐クラッシュ設計で作られる。コア１を形成するのに使用される材料は、コアの構造に適した公知のいずれかの形式のものであり、このような材料は、それにより形成されるコア１が、ペーパーをコア１に巻き付けコア１を使用のためにマシンに設置するプロセス中、或いはマシンにおけるペーパーロールの使用中、例えば、キャッシュレジスタのレシートを顧客に対してプリントする間に、変形しない限り、プラスチック、ファイバー、カードボード又はペーパーストックを含むが、これに限定されるものではない。コア１の構造として有用な耐久性プラスチックは、例えば、ポリエチレン、ポリプロピレン及びポリスチレン樹脂、又はその組合体、或いはコアの構造又は意図された用途に適することが当業者に分かっているプラスチックを含む。
【００３１】
コア構造の耐クラッシュ設計は、公知であり、そして典型的に、コア１の内面を形成するコア層と、コア１の外面を形成するコア層との間に一連の個別の又は相互接続されたバッフルを備え、これらバッフルは、コア１の内側層又は外側層に異なる圧力がかかっても、内側層と外側層を均一に押し離すように働く。コア１に与えられる強度及び耐クラッシュ性は、コア層又はコア層間のバッフルに使用するように選択された材料によって決定される。その結果、このような材料は、コア１に対し、その使用中にコア１に課せられる力及び重量に基づいて選択され、これは、センサ３が固定されるときにコア１に非比例的に付与される圧力を含む。或いは又、コア１は、その変形を防止する内実壁設計であってもよい。しかしながら、内実壁コアは、重量がある上に、それを形成するのに多量の材料を使用するものであり、一方、耐クラッシュ設計は、内実壁設計よりも材料を使用せず、コスト効率も高く、耐久性のある低廉の製造物品を与える。しかしながら、コア１は、使用中に、その意図された形状、ここに示す好ましい実施形態では円断面形状を保持するのが重要である。
【００３２】
プラスチックコアが公知の方法により製造される。例えば、本発明に使用するのに適したコアは、モールドされてもよいし、プリフォームされてもよいし、組み立てられてもよいし、或いは押出しプロセスで製造されてもよい。好ましい実施形態では、コア１は、図１Ａに示す耐クラッシュ設計で押出しされたポリスチレンである。コアには、その製造中に、ラベル、インストラクション又は商標の表示をプリント又はスタンプしてもよい。
【００３３】
当業者に明らかなように、本発明は、そのアプリケーションに基づき、即ちペーパーの形式、ペーパーのサイズ、ペーパーロールが設置されるマシン及び必要とされるペーパー上の像形成の形式に基づいて、コア１における種々のサイズ、材料及び構成方法を含む。コア１の円断面又は丸み付けされた形状は、現在のペーパー巻き付けマシンにより、ペーパーをコア１に均一に巻き付けできるようにするために必要とされる。形の崩れた又は変形したコア１、即ちエッグ又は卵型のコア１は、ペーパーを破いたり、又はペーパー巻き付けマシンがコア１にペーパーを適切に巻き付けるのを妨げたりする。従って、コア１の外面への何らかの取り付け物、或いはコア１の外面又は外径の隆起であって、外径寸法を越え且つコア１の外面又はＯＤの丸い形状を変化させるか又はそれを越えるようなものは、コア１へのペーパーの巻き付けプロセスに悪影響を及ぼし、この場合も、ペーパーを破いたり巻き付け装置にジャミングを生じさせたりする。
【００３４】
図１Ａ及び１Ｂに示すように、コア１のＯＤは、コア１の直径に垂直な方向に円筒の長さにわたってコア１の端から端へ延びる長手方向平坦面２である特殊な区分で形成される。この平坦面２は、コア１の外径円断面寸法を越えずに且つその丸い形状を著しく変更せずに、コア１の外面にセンサ３を取り付け又は固定できるようにする。この場合に、形状の「著しい変更」とは、それにより生じる断面を、丸い形状から、巻き付けプロセス中にペーパーを破いたり巻き付け装置にジャミングを起こしたりする程度まで著しく変形させるような変化を意味する。ここに例示する実施形態では、平坦面は、１３／１６インチＯＤのコア１にセンサ３を受け入れるために５／１６インチの巾である。平坦面２の巾は、コア１の形状の完全性及びコア１のＯＤが著しい変化を伴わずに保持される限り（図２を参照）、センサ３を受け入れるのに適したいかなる巾でもよい。
【００３５】
平坦面２は、センサ３の種々の長さを受け入れるためにコア１の全長まで（それを含む）のいかなる長さでもよい。更に、特定のコア１に使用されるべき選択されたセンサ３が与えられると、平坦面２の長さ及び巾の寸法は、コア１を製造できるように設計又は適応される。例えば、たとえセンサ３の長さがコア１の全長よりも短いとしても、平坦面２の長さは、円筒の端から端までコア１の全長に延びてもよい。他方、平坦面２は、センサ３を受け入れるに必要な距離しか延びなくてもよく、コア１の外面の残り部分は丸い状態に保たれ、コア１の外面にセンサ３のためのくぼみが効果的に形成されるようにしてもよい。
【００３６】
プラスチックの耐クラッシュ設計のコア１であって、ここに示す実施形態に使用するように押出しプロセスにより製造された形式のコアを使用するときには、プラスチックが「記憶特性」を示し、即ちプラスチック材料は、変形後にその元の形状、このケースでは丸い形状に復帰する傾向がある。本発明の平坦面２を維持するために、コア１の構造を変更することができる。例えば、以下の例に示すように、１３／１６インチＯＤのコア１に５／１６インチ巾の平坦面を有するコア１を受け入れるために、コア１におけるポリスチレンの含有量は、寸法安定性を維持しそしてコア１の変形を回避し、即ち平坦面２を除く全表面に対して円形断面を維持し、且つ強度、即ちコア１が処理及び使用中に円形状を保持する能力を維持するように、１．７５ｇ／インチから２．４０ｇ／インチへ増加された。
【００３７】
本発明に使用されるセンサ３は、ペーパーコア１に使用するためにどのセンサ３が適しているか選択したり又は適応させることができることも知っているセンサ３の当業者に知られた任意の形式のものであり、例えば、センサ設計業界における多数の認められた製造者によって製造されたものである。このようなセンサ３は、ペーパーロールにおけるペーパーの量又は厚みにより阻止されない信号として高周波を送信する。このようなセンサ３は、高調波発生型であるか又は磁気機械型であり、後者の方が最も好ましい。
【００３８】
更に、好ましい実施形態では、コア１の平坦面２の巾及び長さの寸法は、センサ３の寸法を受け入れるサイズとされる。例えば、ここに例示する実施形態では、使用するセンサ３は、モデルＵｌｔｒａ  Ｓｔｒｉｐ  ＩＩＩ製品番号２ＺＬＤＲ７Ｋ５１（ＡＤＴセキュリティシステムズインク、ベーコン・レートン、ＦＬ）であり、これは、１３／１６インチＯＤコア１に５／１６インチ巾の平坦面２を必要とするものである。製造の当業者であれば、選択されたセンサ３の寸法に合致するようにコア１のサイズ及び平坦面２の寸法をいかに選択するか分かり、又はコア１の均一ＯＤを維持する要件に合致するために異なるセンサ３が必要であることも分かろう。
【００３９】
図１Ａ及び１Ｂに示すように、センサ３は、接着剤４でコア１に取り付けられる。接着剤又は化学業界の当業者であれば、センサ３をコア１に取り付けるために使用される現在利用できる又は今後開発される種々の接着剤及び接着方法を知っているであろう。このような接着剤は、圧力感知、温度感知、又は化学的活性化等であるが、圧力感知接着剤が好ましい。本発明に使用するための受け入れられる接着剤組成は、アベリー・デニソン（ブレア、ＣＡ）により提供されるような圧力感知接着剤を含むが、これに限定されるものではない。好ましい実施形態では、両面圧力感知テープが使用される。
【００４０】
接着剤４は、センサ３の一体的部分であってもよいし、或いはセンサ３がコア１に付着される前にコア１の一体的部分であってもよい。しかしながら、センサ３ではなく、コア１に付着される場合、接着剤４によりカバーされるエリアは、そこに固定されるセンサ３のエリアより大きくない。或いは又、接着剤がセンサ３に付着され、そして別の接着剤がコア１に付着されてもよい。このような接着剤の組成は、センサ３及びコア１の両方について同じであってもよいし、異なってもよいし、或いはいずれか一方のみの接合効果を向上するように接着剤が設計されてもよい。更に別の実施形態では、接着剤４がセンサ３に付着され、そして接着活性剤がコア１に付着される。
【００４１】
接着剤４は、プレフォームされた両面接着ストリップとして、或いは個別に塗布される流体（液体又はゲル）接着剤又はボンディング剤として、センサ３及び／又はコア１の表面に付着されてもよい。接着剤４は、スプレーによって塗布されてもよいし、或いはブラシやアプリケータによって層として塗布されてもよい。接着剤４が、プレフォームされたストリップとして提供されるときには、そのストリップの接着面（両面）がセンサ３及び／又はコア１の表面に各々付着されるまで、そのストリップの接着面（片方又は両方）が、ペーパー、セロファン、プラスチックポリマー等の保護コーティングで保護されてもよい。当業者であれば、特定のペーパーロールアプリケーションに対しセンサ３及び／又はコア１に接着剤４を付着するのに適した種々の付着方法が分かるであろう。或いは又、剥離紙又はプラスチックバッキングを含むシートに多数のセンサ３が取り付けられるように、センサ３が予め塗布された接着剤４を含むパッケージに入れられてもよい。
【００４２】
実際に、上面６及び下面７を有するセンサ３は、センサ３の下面７に接着剤４を含み、ペーパーロールが組み立てられるときに、センサ３の下面７は、コア１の外面に配置され、そしてセンサ３の上面６は、コア１に巻き付けられたペーパーに接近する。別の実施形態では、コア１の外面が接着剤４を含み、センサ３の下面７がコア１の接着剤４に配置されると、そこに位置保持され、その間に、ペーパーロールが組み立てられ、センサ３の上面６が、コア１に巻き付けられたペーパーに接近する。接着剤４は、センサ３又はコア１に、或いはセンサ３及びコア１に、手で、又は公知手段を使用するマシンにより付着されてもよい。
【００４３】
センサ３は、コア１に手で又はマシンにより取り付けられてもよい。センサ３をコア１に固定するために有効量の接着剤４を使用しなければならない。「有効量」とは、センサ３がしっかり位置保持され、そしてペーパーをコア１に巻き付けるプロセス中又は意図されたマシンにおいてペーパーロールを使用する間にずれないようにする充分な量の接着剤４を意味する。更に、有効量の接着剤４は、センサ３の下面６とコア１の外面との間の実際の接触エリアを越えない。換言すれば、盗難防止ペーパーロールの作成中にセンサ３に圧力が加えられたときに、接着剤４は、センサ３の下面領域を越えて広げられることがなく、ロールに巻き付けられつつあるペーパーに接触することがない。
【００４４】
好ましい実施形態において、電子センサ３がコア１に固定されるとき、センサ３は、センサ３の表面がコア１の外径寸法に干渉しない限り、コア１においていずれの方向に向けられてもよい。コア１のＯＤ寸法にひずみを生じることなくコア１にセンサ３を設置すると、巻き付けプロセスを変更したりペーパーにダメージを与えたり又は巻き付け装置を壊したりすることなく、コア１にペーパーを巻き付けることができる。センサ３の電子的機能は、コア１におけるその向きによって影響されない。しかし、ペーパーロール盗難防止システムに使用するために選択されたあるセンサ３は、向きによって影響を受けることがあり、その際には、検出器へ信号を適切に送信できる向きでセンサ３をコア１に固定しなければならない。
【００４５】
好ましい実施形態において、電子センサ３がコア１に固定されるときに、センサ３の表面がコア１の外径寸法に干渉しないか又はそれを越えないようにセンサ３を取り付けねばならない（図２）。センサ３の表面がコア１の外径寸法を越える場合には、センサ３が、コア１に巻き付けられているペーパー又はペーパー巻き付けマシンの部品に物理的に接触する状態となる。センサ３がペーパー又はペーパー巻き付けマシンに接触する状態になると、センサ３がダメージを受けるか又は感度低下され、これにより、無効状態となる。しかし、ペーパーロール盗難防止システムに使用するために選択されたあるセンサ３は、ペーパー又はペーパー巻き付けマシンとの接触によって影響を受けることがなく、その場合、それらのセンサ３は、ペーパー巻き付けプロセスに影響しないように、そして検出器へ信号を適切に送信できるように、コア１に固定される。
【００４６】
コア１の内径は、センサ３の取り付けによって影響されない。しかしながら、本発明の盗難防止ペーパーロールを作成するプロセス中に、以下の例に述べるように、コア１にペーパーを巻き付けるマシンにコア１を装填及び転送するためにコア１の中空の中心部に好ましくは内実の円柱状装填ロッド（丸い断面）が長手方向に挿入される。この装填プロセスは、センサ３がコア１に固定される前に行われて、コア１が装填ロッドに位置する間に各コア１へのセンサ３の取り付けが行われてもよいし、或いは、センサ３がコア１に既に固定された後に行われて、コア／センサの組合体がロッドに装填されてもよい。
【００４７】
ペーパー巻き付けプロセス中に、装填ロッドの外面とコア１の内径との間に最少量の遊びが必要とされる。ロッドとコア１との間のこの最小のスペースは、コア１をロッドに対して浮動できるようにし、コア１におけるセンサ３のダメージ又は感度低下を処理中に防止又は回避し、コア１の周りにペーパーが巻き付けられるときに柔軟性の欠如によりペーパーが破れないようにする。例えば、好ましい実施形態では、ＯＤが３／８インチの装填ロッドが、ＩＤが７／１６インチのコア１に対して使用され、両者の間に１／１６インチのスペースが残る。従って、ペーパー巻き付けプロセス中にセンサ３又はペーパーへのダメージを防止するに充分な遊びを与えるためには、コア１のＩＤ寸法は、装填ロッドのＯＤ寸法より最低限１／１６インチ大きくなければならない。当業者に明らかなように、ペーパーを巻き付けそして盗難防止ペーパーロールを組み立てるために使用されるマシンに基づいて、装填ロッドを必要とせずに、ペーパーをコア１に巻き付ける別の方法も使用できる。
【００４８】
別の実施形態では、センサ３は、コア１ではなく、完成したペーパーロールそれ自体に固定されてもよい。実際に、センサ３が、処理されて組み立てられたペーパーロールの外側に固定されるか、或いは処理されて組み立てられたペーパーロールを取り巻くパッケージ材料に固定されたときには、このセンサ３は、ペーパーロールをレジスタに使用する直前に物理的に除去される。
本発明は、以下の例について更に説明する。この例は、本発明を例示する目的で示されたものであり、特に明記しない限り本発明を何ら限定するものではない。多数の実際的な状態に対し種々の筋書きが関連し、そして当業者にとって単に例示であることが意図される。この例は、特許請求の範囲を何ら制限するものではない。従って、本発明は、ここに示す教示の結果として明らかになるあらゆる変更を包含するものと解釈すべきである。
【００４９】
例
ペーパーロール盗難防止システムに対するセンサを含むペーパーロールを作成するように操作できる方法を決定するために、次のプロセスが開発されそして新規な要素が形成された。
最初に選択されたコアは、標準的なキャッシュレジスタに使用するためのキャッシュレジスタペーパーロールに現在使用されている形式のコアであった。このようなペーパーロールは、特定アプリケーションに対して選択されたペーパー、例えば、サーモインクキャッシュレジスタレシートペーパーをコアに巻きつけるために、現在の巻き付けマシン、例えば、デュセンベリー（ランドルフ、ＮＪ）、ジョーベル（ドイツ）、ジェナージャンマシンインク（マゼウス、ＩＮ）等々を使用して、工業サイズ及び寸法規格に基づいてコアにペーパーを巻き付けることにより、現在作成されている。現在の巻き付けプロセスは、予め製造された中空コアを装填ロッドに装填し、次いで、この装填ロッドを巻き付けマシンに装填することを含む。
【００５０】
意図された用途に対して選択されると、その用途に対するコアの形状及びサイズが、ペーパーを適切に巻き付けるために重要となる。その選択された標準キャッシュレジスタレシートペーパーロールコアは、耐クラッシュ設計の押出し成形されたポリスチレン円筒であった。コアは、長さが３−１／８インチで、内径が７／１６インチで、そして外径が１３／１６インチである。現在の巻き付けマシンに使用するように適応させるために、コア円筒の形状を丸くしなければならないことが重要である。
【００５１】
ペーパーロール盗難防止システムに使用するために、予め設計されそして市場で入手できるセンサが選択された。その選択されたセンサは、認可された商業的に入手できる標準電気的監視システム（ＥＡＳ）のセンサ素子であった。というのは、本発明の仕様を満足するように製造者により適応させることができると共に、標準的センサの使用により小売店の現在検出器及びセキュリティシステムにほとんど又は全く変更を必要としないからである。本発明の盗難防止システムは、センサが各ペーパーロールコアに取り付けられ、これにより、各ペーパーロールを個々に保護するように設計される。
【００５２】
センサＡＤＴ製品番号２ＺＬＤＲ７Ｋ５１（ＡＤＴセキュリティシステムインク）が、選択されたコア設計に取り付けられる適当なサイズとして選択された。これらの特定のセンサは、接着剤バッキング付きで供給され、そしてコアに手で又はマシンで適用することができる。
センサが、製造されたコアに単に固定されたときには、センサがコアの外面に外部隆起を形成し、コアの丸い形状を壊す。その結果、ペーパーをセンサ／コア組合体に装填する繰り返しの努力において、それがペーパー巻き付けマシンに配置された後に、ペーパーは、コアに完全に巻き付けられる前に破れた。各テストにおいて常に同じポイントで破れたのではないが、実際には、各試みにおいて破れた。更に、コアに固定されたセンサに対する巻き付けられたペーパーの圧力が各々の場合にセンサにダメージを及ぼすか又は感度低下を生じさせた。
【００５３】
これらの問題を克服するために、新規なコア設計が開発された。この新規なコア設計は、３−１／８インチ長さのポリスチレンコアの外面に平坦なセグメントを与え、又、コアの内径は７／１６インチでありそして外径は１３／１６インチであった。次いで、コアの平坦セグメントにセンサを取り付け、取り付けられたセンサは、ペーパーの適切な巻き付けに影響を及ぼす隆起をコアの外面に形成しなかった。更に、センサは、コアの外径寸法内でコアに取り付けられるので、ペーパーがコアに巻き付けられたときに、センサがペーパー又はペーパー巻き付けマシンに接触しなかった。その結果、センサは、巻き付けプロセス中にダメージを受けたり感度低下を生じたりしなかった。
【００５４】
新規なコアは、最初に、標準的コアとして既に知られている耐クラッシュ設計を使用して構成されたが、新規なコアは、５／１６インチ巾の平坦面をその外面の含むように設計され、この平坦面は、コアの全長にわたって長手方向に延びるものであった。５／１６インチの平坦面は、選択されたセンサを受け入れ、センサがコアにしっかり取り付けられるが、コアの外径寸法に干渉しないように選択された。
【００５５】
しかしながら、新規なコアの製造中に、ポリスチレンは、平坦面設計を保持しないことが分かった。むしろ、ポリスチレンは、記憶特性を有するので、コアの平坦部は、丸い形状に復帰する傾向がある。この問題を克服し、そしてペーパーロール盗難防止システムに対する経済的に実現可能なペーパーロールコアを製造しそして提供するために、増加量のポリスチレンでコアを製造する一連の試みがなされた（データは示さず）。
【００５６】
これらの試みの結果として、コア構造体に対するポリスチレンの最適な量は、コア製造プロセス中に平坦面の領域を維持するに充分な強度及び安定性をコアに与えるために、１．７５ｇ／インチ（標準キャッシュレジスタレシートペーパーロールコアに使用される）から、新規なコアの２．４０ｇ／インチへ増加された。以前に選択されたセンサが、次いで、新規なコアの平坦面に固定され、そしてセンサ／コア組合体がペーパー巻き付けマシンに配置された。コアの外面の隆起に伴う以前の問題はもはや生じず、そしてコアの形状がペーパーロールに対するペーパーの巻き付けを変形することはない。
【００５７】
しかし、センサが固定された新規なペーパーロールコアの付加的なテストは、ペーパー巻き付けマシンでのペーパー巻き付けをテストしたときに、一貫性のないペーパー装填結果を生じた。中空コアの円内径と、巻き付けマシンにコアを装填するのに使用される装填ロッドの円外径サイズとの間に重大な関係があることが決定された。オリジナルの新規なコアは、７／１６インチ内径を有し、一方、使用される装填ロッドは、３／８インチより大きい外径を有するものであった。その結果、コア／センサ組立体がペーパー巻き付けマシンでテストされたときにペーパーが破れた。コア及びロッドの２つの直径間の差が１／１６インチより小さいと、ペーパー巻き付けプロセス中にロッド上のコアについて変化する量の遊びが生じ、その結果、コアは、巻き付けプロセス全体にわたり周期的に急動し、ペーパーを破ることになる。
【００５８】
更なる運転テストが問題を示し、そして巻き付けプロセス中にコアがある程度スリップするに充分な量の遊びがないと、ペーパーは、破れ続け、センサが配置された状態でコアに適切に巻き付けることができないことが決定された。しかしながら、外径が厳密に３／８インチ以下の装填ロッドを使用することにより、７／１６インチ内径コアに対して適当な量の遊びが与えられ、そしてペーパー巻き付けマシンは、コアにペーパーを適切に装填することができる。従って、装填ロッドの外径寸法とコアの内径寸法との間の少なくとも１／１６インチの変化が、最適なペーパー装填特性を与えることが決定された。新規なペーパーロールコア／センサ組合体が次いでテストされたときには、新規なコアの内径に対し適切な比の装填ロッドを使用し、センサを含むペーパーロールが均一に且つ確実に形成された。又、ペーパー巻き付けプロセスでテストされたとき及びそれにより形成されるペーパーロールが標準キャッシュレジスタでテストされたときには、新規なコアの平坦面が維持された。更に、作動されたセンサは、アクティブに保持され、そしてこのようにして形成されたペーパーロール盗難防止システムがテストされたときにその対応検出器にアラーム信号を発生した。
【００５９】
上記で引用した各特許、特許出願及び公告は、その全体を、参考としてここに援用する。
以上、幾つかの好ましい実施形態について説明し、そして例示の目的で細部を説明したが、当業者であれば、本発明は、種々の変更や追加を行うことができ、本発明の精神及び範囲から逸脱せずにその細部を著しく変更できることが明らかであろう。従って、このような変更や追加は、特許請求の範囲内に包含されるものとする。
【図面の簡単な説明】
【図１Ａ】
盗難防止ペーパーロールコアの実施形態を示す図で、センサが取り付けられたコアの端面図である。
【図１Ｂ】
盗難防止ペーパーロールコアの実施形態を示す図で、センサが取り付けられたコアの長手方向斜視図である。
【図２】
盗難防止ペーパーロールの実施形態の端面図である。
【国際公開パンフレット】
2004516559.tif 000003
2004516559.tif 000004
2004516559.tif 000005
2004516559.tif 000006
2004516559.tif 000007
2004516559.tif 000008
2004516559.tif 000009
2004516559.tif 000010
2004516559.tif 000011
2004516559.tif 000012
2004516559.tif 000013
2004516559.tif 000014
2004516559.tif 000015
2004516559.tif 000016
2004516559.tif 000017
2004516559.tif 000018
2004516559.tif 000019
2004516559.tif 000020
2004516559.tif 000021
2004516559.tif 000022
2004516559.tif 000023
2004516559.tif 000024
2004516559.tif 000025
2004516559.tif 000026
2004516559.tif 000027
【国際調査報告】
2004516559.tif 000028
2004516559.tif 000029